(57)【要約】【課題】つる性植物の剛性が低い場合でも、つる性植物を極力傷めずに運搬できるつる性植物保持部材を提供すること。【解決手段】つる性植物保持部材１は、つる性植物１０の根１１を保持可能な根保持部３０と、つる性植物のつる１２が係止可能な平板網状のつる保持部３０と、を備える。このつる保持部３０は、平板網状の複数の保持片３１Ａ、３１Ｂと、これら複数の保持片３１Ａ、３１Ｂの間に介在して帯状に延びる介在片３２と、この介在片３２と保持片３１Ａ、３１Ｂとを回転可能に連結する連結部３３と、を備える。【選択図】図１
0003170071.tif 000002
【実用新案登録請求の範囲】
【請求項１】
つる性植物の根を保持可能な根保持部と、
つる性植物のつるが係止可能な平板網状のつる保持部と、を備え、
当該つる保持部は、平板網状の複数の保持片と、当該複数の保持片同士の間に介在する介在片と、当該介在片と前記保持片とを回転可能に連結する連結部と、を備えることを特徴とするつる性植物保持部材。
【考案の詳細な説明】
【技術分野】
【０００１】
本考案は、つる性植物を保持する、つる性植物保持部材に関する。
【背景技術】
【０００２】
従来より、構造物の壁面や屋上を短期間で緑化したり、室内に緑化パーティションを設けたりするため、圃場にてつる性植物を育成し、その後、現場に運搬して設置することが行われている。
この場合、つる性植物を高さ２ｍ程度まで育成するが、この状態では、運搬やストックの効率が低下する。
この問題を解決するため、つる性植物を保持する保持部材が用いられている（特許文献１参照）。
【０００３】
この保持部材は、例えば網状の部材であり、ロール状に巻き取り可能となっている。よって、圃場に保持部材を設置し、この保持部材に巻き付くようにつる性植物を栽培する。その後、保持部材をロール状に巻き取って設置場所に運搬する。よって、保持部材をコンパクトにできるので、つる性植物を傷めることなく、設置場所まで運搬できる。
【先行技術文献】
【特許文献】
【０００４】
【特許文献１】特開２００３−３３９２４８号公報
【考案の概要】
【考案が解決しようとする課題】
【０００５】
しかしながら、以上の保持部材では、運搬する際にロール状に巻き取るため、つる性植物の剛性が低い場合、つるが潰れたり、つる同士が互いに絡んでしまったりする、という問題があった。
【０００６】
本考案は、つる性植物の剛性が低い場合でも、つる性植物を極力傷めずに運搬できるつる性植物保持部材を提供することを目的とする。
【課題を解決するための手段】
【０００７】
請求項１に記載のつる性植物保持部材は、つる性植物の根を保持可能な根保持部と、つる性植物のつるが係止可能な平板網状のつる保持部と、を備え、当該つる保持部は、平板網状の複数の保持片と、当該複数の保持片同士の間に介在して帯状に延びる介在片と、当該介在片と前記保持片とを回転可能に連結する連結部と、を備えることを特徴とする。
【０００８】
この考案によれば、つる保持部を拡げておき、この状態で根保持部に土壌を配置してつる性植物の種をまく。その後、つる性植物のつるがつる保持部に係止するように育成する。これにより、つる性植物の根が根保持部に保持され、つるがある程度の高さになる。そこで、つる保持部を折り畳んで、コンパクトにして運搬する。
【０００９】
ここで、保持片、介在片、および連結部でつる保持部を構成し、保持片同士の間に介在片を介在させたので、つる保持部を折り畳んでも、保持片同士が接触しないから、つる同士が絡まるのを防止できる。また、つる保持部を折り畳む際、保持片同士が略１８０°折り曲がっても、保持片と介在片との折り曲げ角度は略９０°となるため、つるの曲げ角度が大きくならず、つるが折れるのを防止できる。よって、つる性植物の剛性が低い場合でも、つる性植物を極力傷めずに運搬できる。
【００１０】
また、つる性植物保持部材を透明な仮囲いに沿って配置すれば、透明な仮囲いからつる性植物を視認でき、仮囲いの美観を向上できる。
【考案の効果】
【００１１】
本考案によれば、保持片、介在片、および連結部でつる保持部を構成し、保持片同士の間に介在片を介在させたので、つる保持部を折り畳んでも、保持片同士が接触しないから、つる同士が絡まるのを防止できる。また、つる保持部を折り畳む際、保持片同士が略１８０°折り曲がっても、保持片と介在片との折り曲げ角度は略９０°となるため、つるの曲げ角度が大きくならず、つるが折れるのを防止できる。よって、つる性植物の剛性が低い場合でも、つる性植物を極力傷めずに運搬できる。また、つる性植物保持部材を透明な仮囲いに沿って配置すれば、透明な仮囲いからつる性植物を視認でき、仮囲いの美観を向上できる。
【図面の簡単な説明】
【００１２】
【図１】本考案の第１実施形態に係るつる性植物保持部材の正面図および断面図である。
【図２】前記実施形態に係るつる性植物保持部材の拡大断面図である。
【図３】本考案の第２実施形態に係るつる性植物保持部材の側面図である。
【図４】本考案の第３実施形態に係るつる性植物保持部材の側面図である。
【考案を実施するための形態】
【００１３】
以下、本考案の実施形態を図面に基づいて説明する。なお、以下の実施形態の説明にあたって、同一構成要件については同一符号を付し、その説明を省略もしくは簡略化する。
〔第１実施形態〕
図１は、本考案の第１実施形態に係るつる性植物保持部材１の正面図および側面図である。
つる性植物保持部材１は、つる性植物１０の形態を保持して運搬するためのものである。
このつる性植物保持部材１は、つる性植物１０の根１１が収容される根保持部２０と、この根保持部２０の上に設けられてつる性植物１０のつる１２が係止する平板網状のつる保持部３０と、を備える。
根保持部２０は、金属や樹脂等からなる箱状であり、土壌４０が収容されている。
【００１４】
図２（ａ）は、つる保持部３０の拡大断面図である。
つる保持部３０は、平板網状の２つの保持片３１Ａ、３１Ｂと、これら２つの保持片３１Ａ、３１Ｂ同士の間に介在する平板網状の介在片３２と、この介在片３２と保持片３１Ａ、３１Ｂとを回転可能に連結する複数の連結部３３と、を備える。
【００１５】
保持片３１Ａ、３１Ｂおよび介在片３２は、金属製のワイヤーメッシュで形成されており、水平方向の長さ寸法が同一となっている。これにより、介在片３２は水平方向に延びた帯状となっている。
連結部３３は、金属製のリングであり、ワイヤーメッシュ製の保持片３１Ａ、３１Ｂと介在片３２とを緩く連結している。なお、図示しないが、保持片３１Ａ、３１Ｂと介在片３２との成す角度を略９０度とするため、ガイドやスプリングを取り付けておく。
【００１６】
以上のつる性植物保持部材１は、以下のようにして使用する。
まず、つる保持部３０を拡げておき、この状態で箱状の根保持部２０に土壌４０を収容して、つる性植物１０の種をまく。その後、つる性植物１０のつるがつる保持部３０に係止するように育成する。これにより、つる性植物１０の根１１が根保持部２０に収容され、つる１２はある程度の高さとなる。そこで、図２（ｂ）に示すように、つる保持部３０を折り畳む。この際、つる１２を傷めないように、つる保持部３０をゆっくりと折り畳む。つる性植物１０の剛性がある程度低いため、つる性植物１０はつる保持部３０の変形に追従する。
これにより、つる性植物保持部材１がコンパクトになるので、トラックなどに積載して運搬する。
【００１７】
本実施形態によれば、以下のような効果がある。
（１）保持片３１Ａ、３１Ｂ、介在片３２、および連結部３３でつる保持部３０を構成し、保持片３１Ａ、３１Ｂの間に介在片３２を介在させたので、つる保持部３０を折り畳んでも、図２（ｂ）に示すように、保持片３１Ａと保持片３１Ｂとが離れて接触しないから、つる１２同士が絡まるのを防止できる。また、つる保持部３０を折り畳む際、保持片３１Ａ、３１Ｂを略１８０°折り曲げても、図２（ｂ）に示すように、保持片３１Ａ、３１Ｂと介在片３２との折り曲げ角度は略９０°となるため、つる１２の曲げ角度が大きくならず、つる１２が折れるのを防止できる。よって、つる性植物１０の剛性が低い場合でも、つる性植物１０を極力傷めずに運搬できる。
また、つる性植物保持部材１を透明な仮囲いに沿って配置すれば、透明な仮囲いからつる性植物１０を視認でき、仮囲いの美観を向上できる。
【００１８】
〔第２実施形態〕
図３（ａ）は、本考案の第２実施形態に係るつる性植物保持部材１Ａの側面図である。
すなわち、つる性植物保持部材１Ａは、台車５０と、この台車５０の上に設けられてつる性植物１０の根１１が収容される根保持部２０と、台車５０の上に設けられてつる性植物１０のつる１２が係止する平板網状のつる保持部３０と、台車５０から上方に延びてつる保持部３０を支持する伸縮可能な支持部材６０と、を備える。
【００１９】
支持部材６０は、入れ子構造であり、上側の部材を上下にスライドすることで、伸縮可能となっている。
支持部材６０には、フック６１が設けられており、つる保持部３０をフック６１に引っ掛けることにより、つる保持部３０は支持部材６０に支持される。よって、つる保持部３０を自立させる必要はない。
【００２０】
以上のつる性植物保持部材１Ａは、以下のようにして使用する。
第１実施形態と同様に、つる性植物１０を育成する。その後、図３（ｂ）に示すように、つる保持部３０を断面視で略コの字形状に折り畳むとともに、支持部材６０を収縮させる。このようにして、つる性植物保持部材１Ａの高さを低くする。
【００２１】
本実施形態によれば、上述の（１）の効果に加えて、以下のような効果がある。
（２）台車５０を設けたので、つる性植物１０の移動が容易になる。また、支持部材６０を設けたので、つる性植物保持部材１Ａを自立させることができるから、つる性植物保持部材１Ａを室内に設置して緑化パーテーションとしたり、壁側に設置して壁面を緑化したりできる。
また、つる性植物保持部材１Ａを移動して、屋内や屋外の窓際に設置することで、容易かつ安価で美しい「緑のカーテン」を構築できる。つまり、つる性植物１０により適度に日陰ができるので、視認性を確保しながら遮熱効果を発揮して、快適性が高くなり、美観も向上する。
【００２２】
〔第３実施形態〕
図４（ａ）は、本考案の第３実施形態に係るつる性植物保持部材１Ｂの側面図である。
本実施形態では、介在片３２の幅が、第２実施形態よりも狭くなっている。また、支持部材６０には、この支持部材６０と保持片３１Ａとを連結する金物６２が設けられている。
このつる性植物保持部材１Ｂでは、図４（ｂ）に示すように、つる保持部３０を断面視で略への字形状に折り畳む。これにより、保持片３１Ａと保持片３１Ｂとの成す角度が略２０°となる。そして、このつる保持部３０の先端を台車５０の上面に固定する。
このとき、金物６２により、保持片３１Ａと保持片３１Ｂとの成す角度が５°以上になるように、保持片３１Ａおよび保持片３１Ｂの動作が規制されている。
【００２３】
本実施形態によれば、上述の（１）、（２）の効果に加えて、以下のような効果がある。
（３）つる保持部３０を断面視で略への字形状に折り畳んで、つる保持部３０の先端を台車５０の上面で支持するので、つる保持部３０の安定性を向上できる。
【００２４】
なお、本考案は前記実施形態に限定されるものではなく、本考案の目的を達成できる範囲での変形、改良等は本考案に含まれるものである。
例えば、上述の各実施形態では、連結部３３を金属製のリングとしたが、これに限らず、連結部をばね部材としてもよい。このようにすれば、つる保持部３０を折り畳んで再度拡げる際に、ばね部材の復元力により、つる保持部３０を容易に展開できる。
【００２５】
また、上述の各実施形態では、根保持部２０を箱状とし、土壌を収容する構造としたが、これに限らず、根保持部を平板状とし、この根保持部の上に土壌が収容されたプランターを配置してもよい。
また、上述の各実施形態では、保持片３１Ａ、３１Ｂおよび介在片３２をワイヤーメッシュで形成したが、これに限らず、樹脂製のメッシュで形成してもよい。保持片および介在片は、網状であればよく、矩形状の枠とネットで構成してもよいし、矩形状の枠とワイヤーで構成してもよい。
【００２６】
また、上述の各実施形態では、介在片３２を平板状としたが、これに限らず、筒状や柱状としてもよい。
上述の各実施形態では、介在片３２を帯状としたが、これに限らず、介在片の水平方向の長さを短くして、帯状としなくてもよい。
【００２７】
また、上述の各実施形態では、介在片３２と連結部３３とを別体としたが、これに限らない。例えば、介在片３２と連結部３３とを一体化して、１つのリングとしたり、柔軟性のある樹脂製のメッシュで形成したり、ステンレス製や樹脂製のワイヤーで形成したりしてもよい。この場合、介在片３２と連結部３３との成す角度が大きくなり過ぎないように、ガイドやスプリングを取り付けてもよい。
【００２８】
また、以上の各実施形態では、つる性植物保持部材１の根保持部２０でつる性植物１０を育成したが、これに限らず、つる性植物を別の圃場にて育成し、この育成したつる性植物をつる性植物保持部材１に設置して、紐などでつるをつる保持部３０に緩く縛り付けてもよい。
【符号の説明】
【００２９】
１、１Ａ、１Ｂ…つる性植物保持部材
１０…つる性植物
１１…根
１２…つる
２０…根保持部
３０…つる保持部
３１Ａ、３１Ｂ…保持片
３２…介在片
３３…連結部
４０…土壌
５０…台車
６０…支持部材
６１…フック
６２…金物
【図１】
0003170071.tif 000003
【図２】
0003170071.tif 000004
【図３】
0003170071.tif 000005
【図４】
0003170071.tif 000006